(57)【要約】【課題】電子レンジでインスタント麺を調理した場合に、麺全体に水分を行き渡らせることが可能で、湯切りも簡単に行うことが出来る電子レンジ用容器およびその使用方法を提供することを目的とする。【解決手段】容器本体と、上記容器本体の縁に着脱可能に固定できる湯切りザルと、上記湯切りザルに着脱可能に固定できる蓋とからなり、上記湯切りザルを上記容器本体に固定した時に、上記湯切りザルのザル部が、上記容器本体の縁よりも低い高さに位置し、上記容器本体の底面と上記湯切りザルのザル部との間に麺を入れるスペースがあり、上記湯切りザルのザル部が、上記容器本体に上記麺と水を入れた時に上記麺の浮き上がりを防止する。【選択図】  図８
2009100821.tif 000002
【特許請求の範囲】
【請求項１】
容器本体と、上記容器本体の縁に着脱可能に固定できる湯切りザルと、上記湯切りザルに着脱可能に固定できる蓋とからなる電子レンジ用容器であって、
上記湯切りザルを上記容器本体に固定した時に、上記湯切りザルのザル部が、上記容器本体の縁よりも低い高さに位置し、上記容器本体の底面と上記湯切りザルのザル部との間に麺を入れるスペースがあり、上記湯切りザルのザル部が、上記容器本体に上記麺と水を入れた時に上記麺の浮き上がりを防止することを特徴とする電子レンジ用容器。
【請求項２】
上記容器本体と上記湯切りザルの固定が、アンダーカットあるいは上記湯切りザルの縁を折り曲げることによって行われることを特徴とする請求項１に記載の電子レンジ用容器
【請求項３】
上記蓋が、上記容器本体の底面と上記湯切りザルのザル部との間に収容可能であることを特徴とする請求項１または２に記載の電子レンジ用容器。
【請求項４】
上記容器本体あるいは上記蓋が、上記麺を調理後に上記麺を入れる器となることを特徴とする請求項１から３のいずれか１項に記載の電子レンジ用容器。
【請求項５】
容器本体と、上記容器本体の縁に着脱可能に固定できる湯切りザルと、上記湯切りザルに着脱可能に固定できる蓋とからなり、上記湯切りザルを上記容器本体に固定した時に、上記湯切りザルのザル部が、上記容器本体の縁よりも低い高さに位置し、上記容器本体の底面と上記湯切りザルのザル部との間に麺を入れるスペースがある電子レンジ用容器の使用方法であって、
上記容器本体の底面に麺を入れ、上記湯切りザルを上記容器本体に固定し上記湯切りザルのザル部と上記容器本体の底面との間に麺が位置するようにし、
上記容器本体に、上記湯切りザルのザル部が浸かるように水をいれ、上記蓋を上記湯切りザルに固定して上記容器本体に蓋をし、
上記麺と水が入った状態の上記容器本体を電子レンジで加熱して使用し、
上記湯切りザルのザル部が、上記容器本体に上記麺と水を入れた時に上記麺の浮き上がりを防止することを特徴とする電子レンジ用容器の使用方法。
【請求項６】
上記電子レンジによる加熱終了後、上記蓋をはずし、上記湯切りザルで上記麺を押さえながら、湯切りを行うことを特徴とする請求項５に記載の電子レンジ用容器の使用方法。
【請求項７】
湯切り後に、上記麺を上記容器本体に入れたまま、あるいは上記蓋に移すことにより、上記容器本体あるいは上記蓋を器として使用することを特徴とする請求項５又は６に記載の電子レンジ用容器の使用方法。
【発明の詳細な説明】
【技術分野】
【０００１】
本発明は、電子レンジでインスタントの麺類を調理するための電子レンジ用容器およびその使用方法に関し、特にインスタントのラーメンや焼きそば等を電子レンジで調理するのに用いる容器およびその使用方法に関する。
【背景技術】
【０００２】
インスタントのラーメンや焼きそばとして、お湯を注いで麺をほぐして調理を行うものが多数販売されている。これらの麺類は、袋詰め、あるいは専用の容器に入れた状態で販売されており、その手軽さから、広く普及している。
【０００３】
また、電子レンジの普及に伴い、インスタント麺類の調理方法として、お湯を注ぐのではなく、水を注いで電子レンジで加熱して調理するための容器も用いられている。特に、焼きそば等の場合には湯切りが必要となり、それに対応するための容器も従来技術として考えられている（特許文献１を参照）。
【特許文献１】特開２００６−３４６６５号公報
【発明の開示】
【発明が解決しようとする課題】
【０００４】
しかし、電子レンジでインスタントの麺類を調理する際に、従来の電子レンジ用の容器を用いると、水と麺を容器に入れると麺が浮き上がり、電子レンジの加熱によって麺の上側が電子レンジの加熱により乾燥してしまい、麺の下側だけが水分を吸収するので、麺全体が十分に水分を吸収できないという問題を引き起こす。
【０００５】
そこで、本発明は上記問題を解決するために、電子レンジでインスタントの麺類を調理した場合に、麺全体に水分を行き渡らせることが可能で、湯切りも簡単に行うことが出来る電子レンジ用容器およびその使用方法を提供することを目的とする。
【課題を解決するための手段】
【０００６】
本発明の電子レンジ用容器は、容器本体と、上記容器本体の縁に着脱可能に固定できる湯切りザルと、上記湯切りザルに着脱可能に固定できる蓋とからなる電子レンジ用容器であって、上記湯切りザルを上記容器本体に固定した時に、上記湯切りザルのザル部が、上記容器本体の縁よりも低い高さに位置し、上記容器本体の底面と上記湯切りザルのザル部との間に麺を入れるスペースがあり、上記湯切りザルのザル部が、上記容器本体に上記麺と水を入れた時に上記麺の浮き上がりを防止することを特徴とする。
【０００７】
そして、上記容器本体と上記湯切りザルの固定が、アンダーカットあるいは上記湯切りザルの縁を折り曲げることによって行われることが好ましい。
【０００８】
また、上記蓋が、上記容器本体の底面と上記湯切りザルのザル部との間に収容可能であることが好ましい。
【０００９】
上記容器本体あるいは上記蓋が、上記麺を調理後に上記麺を入れる器となることが好ましい。
【００１０】
本発明の電子レンジ用容器の使用方法は、容器本体と、上記容器本体の縁に着脱可能に固定できる湯切りザルと、上記湯切りザルに着脱可能に固定できる蓋とからなり、上記湯切りザルを上記容器本体に固定した時に、上記湯切りザルのザル部が、上記容器本体の縁よりも低い高さに位置し、上記容器本体の底面と上記湯切りザルのザル部との間に麺を入れるスペースがある電子レンジ用容器の使用方法であって、上記容器本体の底面に麺を入れ、上記湯切りザルを上記容器本体に固定し上記湯切りザルのザル部と上記容器本体の底面との間に麺が位置するようにし、上記容器本体に、上記湯切りザルのザル部が浸かるように水をいれ、上記蓋を上記湯切りザルに固定して上記容器本体に蓋をし、上記麺と水が入った状態の上記容器本体を電子レンジで加熱して使用し、上記湯切りザルのザル部が、上記容器本体に上記麺と水を入れた時に上記麺の浮き上がりを防止することを特徴とする。
【００１１】
さらに、上記電子レンジによる加熱終了後、上記蓋をはずし、上記湯切りザルで上記麺を押さえながら、湯切りを行うことが好ましい。
【００１２】
そして、湯切り後に、上記麺を上記容器本体に入れたまま、あるいは上記蓋に移すことにより、上記容器本体あるいは上記蓋を器として使用することが好ましい。
【発明の効果】
【００１３】
本発明の電子レンジ用容器は、本発明の電子レンジ用容器は、容器本体と、上記容器本体の縁に着脱可能に固定できる湯切りザルと、上記湯切りザルに着脱可能に固定できる蓋とからなる電子レンジ用容器であって、上記湯切りザルを上記容器本体に固定した時に、上記湯切りザルのザル部が、上記容器本体の縁よりも低い高さに位置し、上記容器本体の底面と上記湯切りザルのザル部との間に麺を入れるスペースがあり、上記湯切りザルのザル部が、上記容器本体に上記麺と水を入れた時に上記麺の浮き上がりを防止することにより、麺に十分に水分を含ませることが可能となり、麺の食感をよりよくする事が出来る。
【００１４】
そして、上記容器本体と上記湯切りザルの固定が、アンダーカットあるいは上記湯切りザルの縁を折り曲げることによって行われることにより、湯切りを行うときに、しっかりと湯切りザルを固定することができる。
【００１５】
また、上記蓋が、上記容器本体の底面と上記湯切りザルのザル部との間に収容可能であることにより、コンパクトに収納することが出来る。
【００１６】
上記容器本体あるいは上記蓋が、上記麺を調理後に上記麺を入れる器となることにより、様々な用途に使用することが出来る。
【００１７】
本発明の電子レンジ用容器の使用方法は、容器本体と、上記容器本体の縁に着脱可能に固定できる湯切りザルと、上記湯切りザルに着脱可能に固定できる蓋とからなり、上記湯切りザルを上記容器本体に固定した時に、上記湯切りザルのザル部が、上記容器本体の縁よりも低い高さに位置し、上記容器本体の底面と上記湯切りザルのザル部との間に麺を入れるスペースがある電子レンジ用容器の使用方法であって、上記容器本体の底面に麺を入れ、上記湯切りザルを上記容器本体に固定し上記湯切りザルのザル部と上記容器本体の底面との間に麺が位置するようにし、上記容器本体に、上記湯切りザルのザル部が浸かるように水をいれ、上記蓋を上記湯切りザルに固定して上記容器本体に蓋をし、上記麺と水が入った状態の上記容器本体を電子レンジで加熱して使用し、上記湯切りザルのザル部が、上記容器本体に上記麺と水を入れた時に上記麺の浮き上がりを防止することにより、インスタント麺に十分に水分を含ませることができ、より優れた食感の麺に仕上げることが出来る。
【００１８】
さらに、上記電子レンジによる加熱終了後、上記蓋をはずし、上記湯切りザルで上記麺を押さえながら、湯切りを行うことにより、ラーメンだけでなく焼きそば等にも使用可能となる。
【００１９】
そして、湯切り後に、上記麺を上記容器本体に入れたまま、あるいは上記蓋に移すことにより、上記容器本体あるいは上記蓋を器として使用することにより、様々な用途に使用することが出来る。
【発明を実施するための最良の形態】
【００２０】
本発明を、図を用いて以下に詳細に説明する。図１が本発明の電子レンジ用容器１の断面図である。
【００２１】
本発明の電子レンジ用容器１は、インスタントの麺類（ラーメン、焼きそば等）を電子レンジで調理するための容器であって、図１に示すように、容器本体２と、湯切りザル３と、蓋４から構成される。湯切りザル３は上記容器本体２の縁に着脱可能に固定できる構造となっており、また、上記蓋４は上記湯切りザル３の縁の内側に嵌め込むことにより着脱可能に固定できる構造となっている。
【００２２】
そして、上記湯切りザル３は、湯切りするときに湯を通過させ、麺が落下しないように押さえるザル部５を有しており、上記ザル部５は、上記湯切りザル３を上記容器本体２に固定したときに、上記容器本体２の縁よりも低い高さに位置するような構造となっている。
【００２３】
本発明の電子レンジ用容器１の大きな特徴は、上述のような湯切りザル３の構造により、上記湯切りザル２のザル部５と上記容器本体２の底面の間のスペースに麺９を入れて使用する構造となっていることである（図６参照）。これにより、本発明の電子レンジ容器１を用いて麺類を調理の際に水と上記麺９を入れたときに、上記湯切りザル３のザル部５により、上記麺９の浮き上がりを防止することが可能となっている（図７参照）。本発明の電子レンジ用容器１の使用方法の詳細については後述する。
【００２４】
また、上記容器本体２と上記湯切りザル３の固定手段については、幾つかの構造が用いることが出来る。図２に示すのが、その固定手段であり、まず初めに図２の（ａ）に示す、アンダーカット６を用いた方法について説明する。
【００２５】
図２の（ａ）に示すように、上記湯切りザル３の縁に、アンダーカット６が設けられており、上記容器本体２の縁には、上記アンダーカット６を挿入するための孔７が設けられている。上記アンダーカット６は途中に膨らみが設けられた形状となっているので、上記アンダーカット６を上記孔７に挿入すると、上記膨らみによって、上記アンダーカット６が上記孔７から簡単に抜けるのが防止され、上記湯切りザル３が上記容器本体２に着脱可能に固定される。
【００２６】
上記アンダーカット６および上記孔７は、上記電子レンジ用容器１の大きさに応じて複数個を、適当な間隔で設けておき、湯切りの際に、上記湯切りザル３が、外れないようにする。
【００２７】
次に、図２の（ｂ）に示すのが、上記湯切りザル３の縁を折り曲げることにより、固定する方法である。図に示すように、上記湯切りザル３の縁に設けた折り曲げ部８を、上記容器本体２の縁に沿って折り曲げることにより、上記湯切りザル３を上記容器本体２に固定する。
【００２８】
この場合、上記湯切りザル３の縁全部に折り曲げ部８を設けてもよく、あるいは、複数の折り曲げ部８を設けても良い。
【００２９】
このようにして、上記湯切りザル３を上記容器本体２に着脱可能に固定することにより、湯切りの際に湯切りザル３が外れるのを防止することができる。
【００３０】
本発明の電子レンジ用容器１の材質については、特に限定するものではないが、電子レンジで使用するために、耐熱ＰＰを用いることが好ましい。また、本発明の電子レンジ用容器１は、繰り返し使用することもできるので、上述のような耐熱性を有するだけでなく所定の耐久性を有する材質を用いることが好ましい。また、平面形状については、特に限定するものではなく、円形や矩形とすることができる。
【００３１】
本発明の電子レンジ用容器１を繰り返し用いるために、収納時はできるだけコンパクトな方がよい。そこで、上記蓋４の大きさを、図３に示すような上記容器本体１の底面と上記湯切りザル３のザル部５の間のスペースに収まる大きさとすることが好ましい。
【００３２】
麺類を調理する際に上記麺９が入るスペースに上記蓋４を収めることにより、上記容器本体２の大きさで全てが収まるようになる。このように使わないときには、コンパクトな状態とすることで、収納しやすくすることができる。また、本発明の電子レンジ用容器１を販売時にこのような状態にすると、上記湯切りザル３の上に、インスタントの麺類およびソース等を入れて１つのパッケージとして販売することもできる。
【００３３】
次に、本発明の電子レンジ用容器１の使用方法について図を用いて詳しく説明する。
【００３４】
本発明の電子レンジ用容器１は、上述のようにインスタントの麺類を、電子レンジで調理するために使用するものである。まずは、図３に示すような状態の上記電子レンジ用容器１を用意し、図４に示すように容器本体２から、湯切りザル３および蓋４を取り出す。
【００３５】
次に、調理するインスタントの麺９を、上記容器本体２の底に置く（図５参照）。そして、上記湯切りザル３を上述の固定手段を用いて上記容器本体２に固定する（図６参照）。ここでは、固定手段としてアンダーカット６を用いている。
【００３６】
上記湯切りザル３を固定したら、上記容器本体２に水を注ぐ。この時、水面１０が、湯切りザル３のザル部５よりも高く、かつ加熱時に吹き溢さない程度の高さまで水を注ぐ（図７参照）。この時、上記麺９は、浮力によって上記容器本体２の底から浮き上がるが、上記湯切りザル３のザル部５に押さえられるので、上記水面１０上に上記麺９が浮き出てくることは無い。
【００３７】
水を所定の高さまで注ぎ終わったら、上記蓋４を上記湯切りザル３の縁の内側に嵌め込んで固定し、上記容器本体２に蓋をする（図８参照）。そして、上記電子レンジ用容器１を、電子レンジに入れ、所定の温度の所定の時間加熱する。加熱の際にも、上述のように、上記麺９が上記ザル部５によって押さえられているので、上記麺９が上記水面１０より露出することなく、上記麺９全体に水分が吸収される（図９参照）。
【００３８】
上記麺９がラーメン等の場合は、電子レンジによる加熱が終わったら、上記電子レンジ用容器１を電子レンジから取り出し、上記蓋４および上記湯切りザル３を外して、図１０に示すように、スープ１１やかやく１２等を入れると、インスタント麺９の調理が完了する。
【００３９】
上記麺９が焼きそば等の湯切りが必要な麺類の場合、電子レンジによる加熱が終わったら、上記電子レンジ用容器１を上記電子レンジから取り出し、上記蓋４を外して、図１１に示すように、湯切りを行う。
【００４０】
湯切りした後に、上記湯切りザル３を取り外し、図１２に示すように上記麺９を上記蓋４に移す。そして、図１３に示すようにソース１３およびかやく１２を上記麺９に振り掛けると、インスタント麺９の調理が完了する。この場合、上記蓋４を器として利用する。
【００４１】
あるいは、湯切りした後に、上記湯切りザル３を取り外し、図１４に示すように、上記容器本体２に上記麺９を入れたまま、ソース１３およびかやく１２を上記麺９に振り掛けて上記容器本体２を器として使用しても良い。
【００４２】
このように、本発明の電子レンジ用容器１は、焼きそば等に使用する場合、容器本体２あるいは蓋４を器として使用することが出来る。
【００４３】
本発明の電子レンジ用容器１の使用方法により、インスタント麺９全体に水分が吸収され、麺９の食感が大幅に向上する。また、湯切りも簡単で確実に行うことが可能となる。
【図面の簡単な説明】
【００４４】
【図１】本発明の電子レンジ用容器の断面図である。
【図２】電子レンジ用容器の固定手段の拡大断面図であり、（ａ）がアンダーカットを用いた固定手段の拡大断面図、（ｂ）が折り曲げ部を用いた固定手段の拡大図である。
【図３】収納状態の電子レンジ用容器の断面図である。
【図４】電子レンジ用容器の各パーツを取り外した状態を示す断面図である。
【図５】容器本体にインスタント麺を入れた状態を示す断面図である。
【図６】容器本体にインスタント麺を入れ、湯切りザルを固定した状態を示す断面図である。
【図７】容器本体にインスタント麺と水を入れた状態を示す断面図である。
【図８】容器本体にインスタント麺と水を入れ、蓋をした状態を示す断面図である。
【図９】容器本体にインスタント麺と水を入れ、電子レンジで加熱した状態を示す断面図である。
【図１０】電子レンジで加熱後、蓋と湯切りザルを外し、スープと火薬を入れている状態を示す断面図である。
【図１１】湯切りをしている状態を示す断面図である。
【図１２】容器本体から蓋にインスタント麺を移している状態を示す断面図である。
【図１３】蓋に麺を入れ、ソースとかやくを入れている状態を示す断面図である。
【図１４】容器本体に麺を入、ソースとかやくを入れている状態を示す断面図である。
【符号の説明】
【００４５】
１      電子レンジ用容器
２      容器本体
３      湯切りザル
４      蓋
５      ザル部
６      アンダーカット
７      孔
８      折り曲げ部
９      インスタント麺
１０    水面
１１    スープ
１２    火薬
１３    ソース
【図１】
2009100821.tif 000003
【図２】
2009100821.tif 000004
【図３】
2009100821.tif 000005
【図４】
2009100821.tif 000006
【図５】
2009100821.tif 000007
【図６】
2009100821.tif 000008
【図７】
2009100821.tif 000009
【図８】
2009100821.tif 000010
【図９】
2009100821.tif 000011
【図１０】
2009100821.tif 000012
【図１１】
2009100821.tif 000013
【図１２】
2009100821.tif 000014
【図１３】
2009100821.tif 000015
【図１４】
2009100821.tif 000016